(57)【特許請求の範囲】
【請求項１】
室内造作材が化粧縦材であり、
この化粧縦材を取り付ける上下方向に長い下地材が備えられ、
該下地材は、横断面において、下地材本体と、該本体の室内側の表面に左右いずれか一方の向きに向けられて連接されたＬ鉤部と、該Ｌ鉤部の向いた側の側縁部に備えられた手前向き突出の凸とを一体に有する、長さ方向に横断面一定の形材品からなり、
前記化粧縦材も、横断面において、化粧縦材本体と、該本体の裏面に左右他方の向きに向けられて連接されたＬ鉤部と、該Ｌ鉤部の向いた側の側縁に背向きに突出する凸とを一体に有する、同じく長さ方向に横断面一定の形材品からなり、
前記下地材は、Ｌ鉤部が外に向けられて、壁パネルの面材間においてその背後の下地に固着して取り付けられ、
前記化粧縦材は、これを左右方向に変位動させることでそのＬ鉤部が下地材のＬ鉤部に係合されて取り付けられ、該取付け状態において、前記下地材の手前向き突出の凸に化粧縦材の側縁が当接すると共に、前記化粧縦材の背向き突出の凸が壁パネルの面材の側面に当接するようになされており、かつ、
前記下地材の全体が前記化粧縦材によって隠され、化粧縦材のみが露出するようになされていることを特徴とする室内造作材の取付け構造。
【請求項２】
室内造作材が化粧縦材であり、
この化粧縦材を取り付ける上下方向に長い下地材が備えられ、
該下地材は、横断面において、下地材本体と、該本体の室内側の表面に左右いずれか一方の向きに向けられて連接されたＬ鉤部とを一体に有し、該Ｌ鉤部の先端辺の内面が先細り楔状に傾斜している、長さ方向に横断面一定の形材品からなり、
前記化粧縦材も、横断面において、化粧縦材本体と、該本体の裏面に左右他方の向きに向けられて連接されたＬ鉤部とを一体に有し、該Ｌ鉤部の先端辺の内面が先細り楔状に傾斜している、同じく長さ方向に横断面一定の形材品からなり、
前記下地材は、Ｌ鉤部が外に向けられて、壁パネルの面材間においてその背後の下地に固着して取り付けられ、
前記下地材のＬ鉤部内の内周面及び／又は化粧縦材のＬ鉤部内の内周面に、弾性体層が設けられ、
前記化粧縦材は、これを左右方向に変位動させることでそのＬ鉤部が下地材のＬ鉤部に係合されて取り付けられ、その取付け過程において前記傾斜による誘導作用で化粧縦材が下地材の側に引き寄せられると共に、弾性体の弾性作用によってＬ鉤部同士が把持しあうようになされており、かつ、
前記下地材の全体が前記化粧縦材によって隠され、化粧縦材のみが露出するようになされていることを特徴とする室内造作材の取付け構造。
【請求項３】
前記化粧縦材の左右方向における取外し方向の側面に、室内造作用の横材の端面が対面されることによって、この横材が化粧縦材を取外し不能に固定している請求項１又は２に記載の室内造作材の取付け構造。
【発明の詳細な説明】
【０００１】
【発明の属する技術分野】
本発明は、室内造作材の取付け構造、室内造作用構成品、化粧縦材及び化粧横材に関する。
【０００２】
【従来の技術及び課題】
例えば、和室の大壁に室内造作材としての付け柱を体裁良く取り付ける方法として、従来より一般に、付け柱を接着剤にて大壁に貼るという方法が採られている。
【０００３】
しかしながら、ライフスタイルやライフステージの変化に伴って室内の模様替えをしようというような場合や、長年の使用により汚れた室内造作材をきれいな造作材と取り替えようというような場合に、接着剤による取付けでは、付け柱を剥がして取り外す作業が非常に厄介であった。また、取外し後、新たに付け柱を接着剤で貼っていく作業も、新築工事において付け柱を貼っていったのと同じ程度に非常に煩わしいものであった。
【０００４】
本発明は、上記のような従来の問題点に鑑み、室内造作材として、付け柱などの化粧縦材、あるいは、長押などの化粧横材を対象とし、これを外観体裁良く取付け側に取り付けることができ、しかも、造作材の取付けが容易であり、とりわけ、取替え工事における造作材の取外し、取付けが非常に容易であり、そのほかの利点も有する室内造作材の取付け構造、室内造作用構成品、化粧縦材及び化粧横材を提供することを課題とする。
【０００５】
【課題を解決するための手段】
上記の課題は、室内造作材が化粧縦材である場合は、
この化粧縦材を取り付ける上下方向に長い下地材が備えられ、
該下地材は、横断面において、下地材本体と、該本体の室内側の表面に左右いずれか一方の向きに向けられて連接されたＬ鉤部とを一体に有する、長さ方向に横断面一定の形材品からなり、
前記化粧縦材も、横断面において、化粧縦材本体と、該本体の裏面に左右他方の向きに向けられて連接されたＬ鉤部とを一体に有する、同じく長さ方向に横断面一定の形材品からなり、
前記下地材は、壁などの取付け側に固着して取り付けられ、
前記化粧縦材は、これを左右方向に変位動させることでそのＬ鉤部が下地材のＬ鉤部に係合されて取り付けられていることを特徴とする室内造作材の取付け構造によって解決される。
【０００６】
この取付け構造では、下地材は化粧縦材によって隠される。従って、下地材を取付け側に固着する手段がなんであれ、その固着手段が外に露出することはない。また、化粧縦材を下地材に取り付けるためのＬ鉤部は、化粧縦材の裏面に備えられており、化粧縦材の取付け状態においてこのＬ鉤部が視認されることもない。もとより、下地材のＬ鉤部は下地材の表面側に備えられているが、このＬ鉤部は化粧縦材にて隠されるから外部から視認されることもない。従って、化粧縦材を外観体裁良く取付け側に取り付けることができる。
【０００７】
しかも、下地材を取付け側に固着した後は、化粧縦材を左右方向に変位動操作してＬ鉤部同士を係合させるだけで化粧縦材を取付け側に取り付けることができる。とりわけ、化粧縦材の取替え工事では、化粧縦材を左右方向に変位動操作してＬ鉤部同士の係合を解除するだけの簡単な操作で化粧縦材を取付け側から取り外すことができ、また、新たな化粧縦材の取付けは、取付け側に固着されている既設の下地材をそのまま利用して、上記のように、化粧縦材を左右方向に変位動操作してＬ鉤部同士を係合させるだけの簡単な操作で化粧縦材を取付け側に取り付けることができ、取替え工事における化粧縦材の取外し、取付けを施工容易に行うことができる。
【０００８】
加えて、下地材も化粧縦材も、Ｌ鉤部を含め、長さ方向に横断面一定の形材品からなるものであるから、これらを容易に製作することができ、しかも、品質安定性良く製作することができる。下地材や化粧縦材の材質に特段の制限はなく、木材、樹脂、木片混入樹脂、金属などであってよい。樹脂や、木片混入樹脂、金属である場合は、押出加工などの生産性良い加工法を用いて、二次加工少なく容易に、かつ、品質安定性良く製作することができる。
【０００９】
更に、左右方向に向けられたＬ鉤部同士の係合で化粧縦材を取付け側に取り付ける構成であるから、その他の固定手段がなくとも、側方への外力が働かない限り脱落してしまうことはなく、取付け安定性に優れる。なお、このことは、追加の固定手段を排除する意味でないことはいうまでもない。
【００１０】
上記の取付け構造において、化粧縦材の左右方向における取外し方向の側面に、室内造作用の横材の端面が対面されることによって、この横材が化粧縦材を取外し不能に固定している構造とするのがよい。取り付けた化粧縦材が側方に不本意に変位するのを阻止する専用の固定手段を用いることなく、横材を取り付けるだけで、化粧縦材を側方変位不能に固定でき、施工容易性をより一層向上することができる。
【００１１】
また、上記の課題は、室内造作材が化粧横材である場合は、
この化粧横材を取り付ける左右方向に長い下地材が備えられ、
該下地材は、横断面において、下地材本体と、該本体の室内側の表面に上下いずれか一方の向きに向けられて連接されたＬ鉤部とを一体に有する、長さ方向に横断面一定の形材品からなり、
前記化粧横材も、横断面において、化粧横材本体と、該本体の裏面に上下他方の向きに向けられて連接されたＬ鉤部とを一体に有する、同じく長さ方向に横断面一定の形材品からなり、
前記下地材は、壁などの取付け側に固着して取り付けられ、
前記化粧横材は、これを上下方向に変位動させることでそのＬ鉤部が下地材のＬ鉤部に係合されて取り付けられていることを特徴とする室内造作材の取付け構造によって、同様に解決される。
【００１２】
この場合、下地材のＬ鉤部が上向きに向けられ、化粧横材のＬ鉤部が下向きに向けられて、それぞれの本体に連接されているのがよい。これにより、化粧横材のＬ鉤部を下地材のＬ鉤部に係合させれば、化粧横材はその自重作用によって、上方への不本意な変位動を規制され、それによる固定能力を加味した軽い固定手段にて、あるいは、固定手段なく、化粧横材を取付け側に取り付けることができる。
【００１３】
【発明の実施の形態】
次に、本発明の実施形態を図面に基づいて説明する。
【００１４】
図１及び図２に示す第１実施形態は、化粧縦材としての付け柱１の取付け構造に関するもので、２は取付け側としての間仕切り壁、３は下地材である。
【００１５】
間仕切り壁２は、壁パネル４，４同士を横方向に連結して構成されているもので、各壁パネル４は、石膏ボード等の面材４ａの裏面に木製枠４ｂを備え、壁パネル４，４同士は、隣り合う壁パネル４，４の木製枠４ｂ，４ｂ間につなぎ材５を室内露出状態に介設して連結されている。
【００１６】
下地材３は、付け柱１を間仕切り壁２に取り付けるのに用いられるもので、上下方向に長い部材である。この下地材３は、帯板状の下地材本体３ａの片面の幅方向中間部にＬ鉤部３ｂを一体に有するもので、Ｌ鉤部３ｂは、左右一方の方向に向けられて下地材本体３ａに備えられている。下地材３は、Ｌ鉤部３ｂも含めて、長さ方向に横断面一定の形材品からなっており、その材質は、例えば、木材、樹脂、木片混入樹脂、金属などであり、樹脂や金属などのような場合は、押出加工などにより製作される。長さ方向に横断面一定の形材品によるものであるから、その製作が非常に容易であり、製品の品質安定性にも優れる。なお、下地材本体３ａの厚さは、面材４ａの厚さよりも薄く設計されている。
【００１７】
付け柱１は、表面側を化粧面とする所定幅寸法の帯板状の付け柱本体１ａの裏面の幅方向中央部にＬ鉤部１ｂを一体に備えさせたもので、Ｌ鉤部１ｂは、左右方向において、下地材３のＬ鉤部３ｂとは逆向きに向けられて付け柱本体１ａに備えられている。この付け柱１も、下地材３と同様に、Ｌ鉤部１ｂも含めて、長さ方向に横断面一定の形材品からなっており、その材質は、例えば、木材、樹脂、木片混入樹脂などであり、樹脂などのような場合は、押出加工などにより製作される。長さ方向に横断面一定の形材品によるものであるから、その製作が非常に容易であり、製品の品質安定性にも優れる。
【００１８】
間仕切り壁２への付け柱１の取付けは、次のようにして行われる。即ち、まず、下地材３を、Ｌ鉤部３ｂを外に向け、壁パネル４，４の面材４ａ，４ａ間に露出するつなぎ材５に当接させ、正面側よりビス６…にて固着状態に取り付ける。
【００１９】
しかる後、付け柱１を下地材３に沿わせるようにし、付け柱１のＬ鉤部１ｂが下地材３のＬ鉤部３ｂに係合されるように、付け柱１を左右方向、即ち図面の場合左方向に変位動操作する。これにより、Ｌ鉤部１ｂ，３ｂ同士が係合状態となり、付け柱１が間仕切り壁２に取り付けられる。付け柱１には、釘やビスなどの取付け手段が露出せず、付け柱１を外観体裁良く、かつ、取付け安定性良く間仕切り壁２に取り付けることができる。
【００２０】
この状態では、付け柱１は、手前方向や奥方向、図面左方向に外力が作用しても固定状態を維持できる。しかし、付け柱１に図面右方向の力が作用すると、位置ずれを起こしたり、脱落することも可能性として起こりうる。そこで、本実施形態では、図１、図２（ハ）に示すように、室内造作用の横材７、例えば回り縁、鴨居、付け鴨居、畳寄せを利用し、付け柱１の図面右側の側面に、上記の横材７の端面が当接状態あるいは近接状態で対面されるよう、この横材７が取り付けられている。これにより、付け柱１は図面右側への変位動を横材７にて阻止され、取外し不能に固定される。釘やビスなどの付け柱専用の固定手段を使用することなく、付け柱１をしっかりと固定することができる。なお、付け柱１を挟む図面左側にも室内造作のための横材７が延ばされている。
【００２１】
上記の付け柱１の取替えは、次のようにして行う。即ち、付け柱１を取り替える場合は、横材７の取替えも行うのが普通であり、まず横材７を取り外す。しかる後、付け柱１を図面右方向に動かす。これによりＬ鉤部１ｂ，３ｂ同士の係合が解除されて、付け柱１を簡単に取り外せる。新たな付け柱１の取付けは、既設の下地材３を利用し、上記と同様に、付け柱１を下地材３に沿わせるようにし、付け柱１のＬ鉤部１ｂが下地材３のＬ鉤部３ｂに係合されるように、図面左方向に変位動操作する。これだけで、Ｌ鉤部１ｂ，３ｂ同士が係合状態となり、付け柱１が間仕切り壁２に取り付けられる。その後、新たな横材７の取付けを行えば、完全な固定状態となる。このように、付け柱１の取替えを容易に遂行することができる。
【００２２】
図３に示す第２実施形態は、間仕切り壁２の壁パネル４の左右方向中間部、即ち壁パネル４の面材４ａの幅方向中間部に、付け柱１を取り付ける場合のものである。下地材３を、壁パネル４の面材４ａに沿わせて、ビスなどにて壁パネル４に固着状態に取り付けるほかは、上記の第１実施形態の場合と同様である。
【００２３】
図４（イ）に示す変形例は、下地材３の本体３ａの幅方向中間部に、複数、図面では２つのＬ鉤部３ｂ，３ｂが並列状態に備えられており、また、それに応じて、付け柱１にも対応部位に対応数のＬ鉤部１ｂ，１ｂが備えられて、付け柱１と下地材３とが幅方向における複数箇所で係合されるようになされている。安定した取付け状態を得ることができる。
【００２４】
図４（ロ）に示す変形例は、付け柱１において、そのＬ鉤部１ｂの向いた側の側縁に背向きに突出する凸１ｃが備えられ、この凸１ｃが、Ｌ鉤部１ｂ，３ｂ同士の係合状態において、壁パネル４の面材４ａの側面に当接されるようになされている。また、下地材３において、そのＬ鉤部３ｂの向いた側の側縁部に手前向きに突出する凸３ｃが備えられ、Ｌ鉤部１ｂ，３ｂ同士の係合状態において、この凸３ｃに付け柱１の側縁が当接されるようになされている。付け柱１を取り付ける際の両Ｌ鉤部１ｂ，３ｂに作用する力学的負担をこれら凸１ｃ，３ｃによる受け作用で緩和することができる。なお、これら凸１ｃ，３ｃも長手方向の全長に延びて備えられていることはいうまでもない。
【００２５】
図４（ハ）に示す変形例は、下地材３において、その本体３ａの厚さ寸法を壁パネル４の面材４ａの厚さ寸法と同じにし、下地材３の取付け状態において、下地材本体３ａの前面が、面材４ａの前面と面一になるようにしたものである。
【００２６】
図５（イ）に示す第３実施形態は、付け柱１において、その帯板状本体１ａが幅方向に外に凸に湾曲されており、Ｌ鉤部１ｂ，３ｂ同士の係合により、これが平面状に弾性変形されるようになされている。付け柱本体１ａの弾性復元力の作用で、付け柱１をしっかりと固定することができる。
【００２７】
図５（ロ）に示す第４実施形態は、各Ｌ鉤部１ｂ，３ｂの先端辺の内面が先細り楔状に傾斜８，８されている。そして、下地材３のＬ鉤部３ｂ内の内周面にゴム等の弾性体層９が設けられている。傾斜８，８による誘導作用と弾性体層９による弾性作用とで付け柱１を間仕切り壁２側に押し付け状態にしたり、あるいは、弾性体層９による弾性作用でＬ鉤部１ｂをしっかり把持したりすることなどを通じて、付け柱１をしっかり固定できる。このように、取付け側への付け柱１の固定は、付け柱１の外観体裁を悪くしない態様において、各種固定手段によって行われてよい。なお、弾性体層９は、付け柱１の側に設けられていてもよいし、付け柱１の側と下地材３の側との両方に設けられていてもよい。
【００２８】
図６（イ）（ロ）に示す第５実施形態は、化粧横材としての長押１１の取付け構造に関するもので、１４は取付け側としての壁パネルであり、１２，１３は下地材である。
【００２９】
下地材１２，１３は、長押１１を壁パネル１４に取り付けるのに用いられるもので、左右方向に長く、本実施形態では、鴨居１２ｄ、付け鴨居１３ｄを一体に備えている。この下地材１２，１３は、帯板状の下地材本体１２ａ，１３ａの外面側の高さ方向中間部に上向きのＬ鉤部１２ｂ，１３ｂを一体に有している。下地材１２，１３は、Ｌ鉤部１２ｂ，１３ｂも含めて、また、鴨居１２ｄ、付け鴨居１３ｄを含めて、長さ方向に横断面一定の形材品からなっており、その材質は、第１実施形態の場合と同様である。
【００３０】
長押１１は、表面側を化粧面とする所定幅寸法の帯板状の長押本体１１ａの裏面の高さ方向中間部に下向きのＬ鉤部１１ｂを一体に備えさせたものである。この長押１１も、下地材１２，１３と同様に、Ｌ鉤部１１ｂも含めて、長さ方向に横断面一定の形材品からなっており、その材質は、第１実施形態の場合と同様である。
【００３１】
また、長押１１の下縁には、下向きの差込み凸１１ｅが一体に備えられており、また、下地材１２，１３には、この差込み凸１１ｅを差し込ませる差込凹所１２ｅ，１３ｅが一体に備えられており、差込み凸１１ｅを差込み凹所１２ｅ，１３ｅ内に差し込むことで、長押１１の下縁側が下地材３に保持されるようになされている。なお、差込み凸１１ｅや差込み凹所１２ｅ，１３ｅも、下地材１２，１３、長押１１の全長にわたって成形されている。これら差込み凸１１ｅや差込み凹所１２ｅ，１３ｅもＬ鉤部に相当するものであることはいうまでもない。
【００３２】
壁パネル１４への長押１１の取付けは、まず、下地材１２，１３を、Ｌ鉤部１２ｂ，１３ｂを外に向け、正面側より壁パネル１４にビスなどにて固着状態に取り付ける。これにより、鴨居１２ｄや付け鴨居１３ｄも壁パネル１４側に取り付けられる。しかる後、長押１１を下地材３に沿わせるようにし、長押１１のＬ鉤部１１ｂが下地材１２，１３のＬ鉤部１２ｂ，１３ｂに係合されるよう、長押１１を上方から下方へと変位動操作する。これにより、Ｌ鉤部１ｂ，３ｂ同士が係合状態となり、また、差込み凸１１ｅが差込み凹所１２ｅ，１３ｅに差し込まれて、長押１１が壁パネル１４に取り付けられる。これだけでも良いのであるが、しっかりとした取付け状態を得るため、長押１１は、視認されにくい上面において、下地材１２，１３にビス６にて止められている。
【００３３】
上記の長押１１の取替えは、次のようにして行う。即ち、上面のビス６を取り外した後、長押１１を上方に変位動操作する。これによりＬ鉤部同士の係合などが解除されて、長押１１を簡単に取り外せる。新たな長押１１の取付けは、上記と同様に、長押１１を下地材１２，１３に沿わせるようにし、長押１１のＬ鉤部１１ｂが下地材１２，１３のＬ鉤部１２ｂ，１３ｂに係合されるように、下方に変位動操作する。これだけで、Ｌ鉤部同士が係合状態となり、長押１１が下地材１２，１３に取り付けられる。なお、本実施形態の下地材３は、鴨居１２ｄや付け鴨居１３ｄを一体に有するものであるから、長押１１の取替えにおいて、下地材１２，１３の取替えを行ってもよいし、あるいは、下地材１２，１３の取替えは行わなくてもよい。また、鴨居１２ｄや付け鴨居１３ｄを備えない本来の下地材が用いられてもよい。
【００３４】
以上に、本発明の実施形態を示したが、本発明はこれに限られるものではなく、発明思想を逸脱しない範囲で、各種の変更が可能である。例えば、上記の実施形態では、付け柱１を化粧縦材とした場合について述べているが、その他の化粧縦材であってもよい。また、上記の実施形態では、長押を化粧横材としているが、そのほか、回り縁、畳寄せ、幅木、鴨居、付け鴨居を化粧縦材として構成されていてもよい。
【００３５】
【発明の効果】
上述の次第で、本発明の室内造作材の取付け構造、室内造作用構成品、化粧縦材及び化粧横材は、上記のような構成を有するものであるから、室内造作材としての化粧縦材や化粧横材を外観体裁良く取付け側に取り付けることができる。しかも、化粧材の取付けが容易であり、とりわけ、取替え工事における化粧材の取外し、取付けの施工を非常に容易に行うことができる。
【００３６】
のみならず、下地材も化粧材も、Ｌ鉤部を含め、長さ方向に横断面一定の形材品からなるものであるから、これらの部材を、生産性良くかつ品質安定性良く製作することができる。
【００３７】
更に、縦横それぞれの化粧材は、特定の向きに向けられて備えられた化粧材側のＬ鉤部と下地材側のＬ鉤部との係合により取付け側に取り付けられる構成であるから、このＬ鉤部同士の係合のみであっても、上下方向あるいは左右方向の外力が働かない限り脱落することはなく、取付け安定性に優れる。
【図面の簡単な説明】
【図１】  第１実施形態の取付け構造を示す断面平面図である。
【図２】  図（イ）は取付け構造を分離状態にして示す斜視図、図（ロ）は取付け状態の斜視図、図（ハ）は固定状態に斜視図である。
【図３】  第２実施形態の取付け構造を示す断面平面図である。
【図４】  図（イ）、図（ロ）及び図（ハ）はそれぞれ、変形例に係る取付け構造の断面平面図である。
【図５】  図（イ）は第３実施形態の取付け構造を示す断面平面図、図（ロ）は第４実施形態の取付け構造を示す断面平面図である。
【図６】  第５実施形態を示すもので、図（イ）は鴨居部分の断面側面図、図（ロ）は付け鴨居部分の断面側面図である。
【符号の説明】
１…付け柱（化粧縦材）
１ａ…本体
１ｂ…Ｌ鉤部
２…間仕切り壁（取付け側）
３…下地材
３ａ…本体
３ｂ…Ｌ鉤部
７…横材
１１…長押（化粧横材）
１１ａ…本体
１１ｂ…Ｌ鉤部
１２…下地材
１２ａ…本体
１２ｂ…Ｌ鉤部
１４…壁パネル（取付け側）
【図１】
0004294144.tif 000002
【図２】
0004294144.tif 000003
【図３】
0004294144.tif 000004
【図４】
0004294144.tif 000005
【図５】
0004294144.tif 000006
【図６】
0004294144.tif 000007